(57)【要約】【課題】薄型表示装置において放熱効果を向上させることができる技術を提供する。【解決手段】液晶テレビ１０は、表示パネルユニットをキャビネット（バックキャビネット）内部に備え、テレビスタンド４０が取り付けられている。テレビスタンド４０は、スタンド支柱部４２とスタンド脚部４４から構成されている。スタンド支柱部４２とスタンド脚部４４とは金属製であり、例えば、アルミニウム合金製である。スタンド支柱部４２は、上部側をバックライトシャーシ３０に密着させるようにして固定される。スタンド脚部４４の裏面は、金属の部分が露出し、その露出部分がテレビ台９０の天板に接するようになっている。【選択図】図１
2012009918.tif 000002
【特許請求の範囲】
【請求項１】
スタンドを備えた薄型表示装置であって、
前記スタンドは、表示ユニットの背面側のシャーシに取り付けられた金属製の支柱と、前記支柱と一体に固定される金属製の脚部とを、有し、
前記金属製の脚部の裏面において、設置面に当接する面が金属を露出させている
ことを特徴とする薄型表示装置
【請求項２】
前記スタンドは、前記脚部の裏面から、前記支柱の上面に連通する連通孔を有していることを特徴とする請求項１に記載の薄型表示装置。
【請求項３】
スタンドを備えた液晶テレビと、前記液晶テレビが設置されるテレビ台とを備える液晶テレビ・セットであって、
前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が金属を露出させており、前記スタンドは、前記脚部の裏面から、前記支柱の上面に連通する連通孔を有し、
前記テレビ台は、
前記液晶テレビのスタンドが設置される部分が金属であり、かつ、金属のフレームに接続される天板と、
前記天板の前記スタンドが設置される部分に、前記スタンドの前記脚部の裏面に設けられた前記連通孔と一致する開口を有して、内部にファンを備えた冷却促進用の空間と
を有していることを特徴とする液晶テレビ・セット。
【請求項４】
スタンドを備えた液晶テレビと、前記液晶テレビが設置されるテレビ台とを備える液晶テレビ・セットであって、
前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が金属を露出させており、前記スタンドは、前記脚部の裏面から、前記支柱の上面に連通する連通孔を有し、
前記テレビ台は、
前記液晶テレビのスタンドが設置される部分が金属であり、かつ、金属のフレームに接続される天板と、
前記天板の前記スタンドが設置される部分に、前記スタンドの前記脚部の裏面に設けられた前記連通孔と一致する開口を有して、内部にファンを備えた冷却促進用の空間と
を有していることを特徴とする液晶テレビ・セット。
【請求項５】
スタンドを備えた液晶テレビと、前記液晶テレビが設置されるテレビ台とを備える液晶テレビ・セットであって、
前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が凹凸形状の金属を露出させたスタンド側係合面を有しており、
前記テレビ台は、
前記液晶テレビのスタンドが設置される部分が金属であり、かつ、金属のフレームに接続される天板と、
前記天板の前記スタンドが設置される部分は、前記スタンド側係合面と係合可能に一致するとともに、前記天板から分離可能なテレビ台側係合部を
を有していることを特徴とする液晶テレビ・セット。
【発明の詳細な説明】
【技術分野】
【０００１】
本発明は、薄型表示装置及び液晶テレビ・セットに関する。
【背景技術】
【０００２】
近年、液晶テレビ等の薄型表示装置は、大型化傾向にあると同時に薄型化の要請も非常に強い。大型化、さらには画質改善、特に輝度の向上に伴い、消費電力が増している。省電力化の努力はなされているものの、上述の装置自体の大型化に伴う電力増加が大きく、装置内部温度の温度環境が非常に厳しくなっている。内部温度が上昇した場合、基板上部品の熱暴走のおそれや画質の低下という不具合が発生しかねず、様々な対策がなされている。
【０００３】
例えば、キャビネット内の高温空気を強制換気するために排気ファンを取り付けることがある。しかしながら、排気ファンを取り付けると、キャビネット内のホコリを別途対策する技術の導入が必要となったり、騒音、消費電力が増大する等の課題が生じたりする。排気ファンを設ける場合であっても極力小型化をしたり、排気ファンを設けない構成とするために、液晶テレビの内部電気回路における高温部の放熱手段として、筐体を通して内部の熱が発散するような構造を採用することがある。しかし、この技術では、筐体内部に熱がこもったり、筐体から空気への熱の発散が悪いという課題があった。
【０００４】
また、別の技術として、以下の特開２００６−２３５４２４号公報（特許文献１参照）の技術がある。この技術では、バックライト装置の背面に駆動回路部を配置した液晶テレビに関するものである。具体的には、バックライト装置と駆動回路部との間にバックライト装置および駆動回路部と密接して平板状の支持金具を配置する。さらに、支持金具の下方に金属製のスタンドを配置し、支持金具の下端左右２箇所で水平方向の支軸により支持金具の前後方向の回動を自在に連結金具に軸着し、連結金具の左右方向中央で前記スタンドに垂直方向の支軸により水平方向の回動を自在に軸支する。
【先行技術文献】
【特許文献】
【０００５】
【特許文献１】特開２００６−２３５４２４号公報
【発明の概要】
【発明が解決しようとする課題】
【０００６】
ところで、特許文献１に開示の技術では、発熱部分とスタンド（脚）部分を回動が自在になるよう連結しているため、接触面積を大きく取りにくく、また回動のための隙間が必要となる。このため、熱伝導の効果が低減されてしまうという課題がある。また、スタンド（脚）部そのものを放熱手段としており、スタンドからは空気に対しての熱発散しか考慮されていない。このため、スタンドが密着する設置面への放熱効果を十分利用できていないという課題がある。このよう観点から別の技術の導入が求められていた。
【０００７】
本発明の目的は、上記課題に鑑み、薄型表示装置において放熱効果を向上させることができる技術を提供することにある。
【課題を解決するための手段】
【０００８】
本発明に係る装置は、スタンドを備えた薄型表示装置であって、前記スタンドは、表示ユニットの背面側のシャーシに取り付けられた金属製の支柱と、前記支柱と一体に固定される金属製の脚部とを、有し、前記金属製の脚部の裏面において、設置面に当接する面が金属を露出させている。
また、前記スタンドは、前記脚部の裏面から、前記支柱の上面に連通する連通孔を有してもよい。
本発明に係る別の装置は、スタンドを備えた液晶テレビと、前記液晶テレビが設置されるテレビ台とを備える液晶テレビ・セットであって、前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が金属を露出させており、前記スタンドは、前記脚部の裏面から、前記支柱の上面に連通する連通孔を有し、前記テレビ台は、前記液晶テレビのスタンドが設置される部分が金属であり、かつ、金属のフレームに接続される天板と、前記天板の前記スタンドが設置される部分に、前記スタンドの前記脚部の裏面に設けられた前記連通孔と一致する開口を有して、内部にファンを備えた冷却促進用の空間とを有している。
本発明に係る別の装置は、スタンドを備えた液晶テレビと、前記液晶テレビが設置されるテレビ台とを備える液晶テレビ・セットであって、前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が金属を露出させており、前記スタンドは、前記脚部の裏面から、前記支柱の上面に連通する連通孔を有し、前記テレビ台は、前記液晶テレビのスタンドが設置される部分が金属であり、かつ、金属のフレームに接続される天板と、前記天板の前記スタンドが設置される部分に、前記スタンドの前記脚部の裏面に設けられた前記連通孔と一致する開口を有して、内部にファンを備えた冷却促進用の空間とを有している。
本発明に係る別の装置は、スタンドを備えた液晶テレビと、前記液晶テレビが設置されるテレビ台とを備える液晶テレビ・セットであって、前記液晶テレビの前記スタンドは、バックライトシャーシに取り付けられた金属製の支柱と、前記支柱と一体に固定される金属製の脚部とを、有し、かつ、前記金属製の脚部の裏面において、設置面に当接する面が凹凸形状の金属を露出させたスタンド側係合面を有しており、前記テレビ台は、前記液晶テレビのスタンドが設置される部分が金属であり、かつ、金属のフレームに接続される天板と、前記天板の前記スタンドが設置される部分は、前記スタンド側係合面と係合可能に一致するとともに、前記天板から分離可能なテレビ台側係合部を有している。
【発明の効果】
【０００９】
本発明によれば、薄型表示装置において放熱効果を向上させることができる技術を提供することができる。
【図面の簡単な説明】
【００１０】
【図１】第１の実施形態に係る、液晶テレビ及びテレビ台を示した図である。
【図２】第２の実施形態に係る、液晶テレビ及びテレビ台を示した図である。
【図３】第３の実施形態に係る、液晶テレビ及びテレビ台を示した図である。
【図４】実施形態の変形例に係る、液晶テレビを示した図である。
【図５】実施形態の変形例に係る、液晶テレビを示した図である。
【発明を実施するための形態】
【００１１】
＜第１の実施形態＞
図１は、本実施形態に係る液晶テレビ１０及びテレビ台９０を背面側から見た図を示す。なお、図１（ａ）は、液晶テレビ１０をテレビ台９０に置く前の状態を示し、図１（ｂ）は、液晶テレビ１０をテレビ台９０に置いた状態を、バックキャビネット２０を取り除いて示している。
【００１２】
図示のように、液晶テレビ１０は、テレビスタンド４０を備えており、テレビ台９０の天板（上面に）に設置される。液晶テレビ１０は、表示パネルユニットをキャビネット内部に備え、テレビスタンド４０が取り付けられている。なお、図示では、表示パネルユニットの背面側シャーシである金属製のバックライトシャーシ３０及びキャビネットとしてバックキャビネット２０を示している。
【００１３】
テレビスタンド４０は、大きく分けて、スタンド支柱部４２とスタンド脚部４４から構成されている。スタンド支柱部４２とスタンド脚部４４とは金属製であり、例えば、アルミニウム合金製であり、アルマイト表面処理等がなされている。そして、スタンド支柱部４２は、上部側をバックライトシャーシ３０に密着させるようにして固定する。なお、テレビスタンド４０は、所定の樹脂カバー等で覆われてもよいが、その場合、放熱促進を阻害しない形態とする。
【００１４】
さらに、スタンド脚部４４の裏面（図示では下側）は、金属の部分が露出し、その露出部分がテレビ台９０の天板に接するようになっている。ただし、テレビ台９０の傷防止のために、伝熱特性に優れた伝熱シートが取り付けられてもよい。
【００１５】
一般に、バックライトシャーシ３０は、表示パネルユニットに内蔵される各種電子回路によって、温度上昇してしまうことがある。従来では、バックライトシャーシ３０の上方から、所定の排気口を通して自然対流又はファン等による強制対流によって排熱をしていた。
【００１６】
しかし、本実施形態では、上記の排熱の他に、バックライトシャーシ３０にスタンド支柱部４２を直接密着させて固定するので、バックライトシャーシ３０の熱を効率的にスタンド支柱部４２に逃がすことできる。さらに、スタンド脚部４４からテレビ台９０へ効果的に伝熱することができるため、液晶テレビ１０内部にこもる熱を低減することができる。その結果、内部で発生する熱に起因して、電子回路等が誤動作することを防止できる。また、誤動作が発生しない場合でも、従来より好適な動作環境を実現できるため、製品の寿命を延ばすことができたり、また、採用する部品の自由度が増しコスト低減につなげることが可能となる。さらに、熱設計的な観点において、液晶テレビ１０の厚みを薄くすることもできる。
【００１７】
なお、テレビスタンド４０を形成する金属としてスチール等が利用されてもよいが、良好な伝熱特性を有する材料を用いることが必要である。また、液晶テレビ１０のバックライトにＬＥＤを用いる製品が多く市場投入されるようになっている。ＬＥＤをバックライトに用いる場合、輝度のエリア制御も同時に行うなどの多機能化に伴い、発熱量の増大及びパルス駆動に伴う振動発生（騒音発生）に対する対策が求められるようになっている。そこで、放熱機能と振動対策とを両立させるべく、テレビスタンド４０（特にスタンド支柱部４２）に例えばマグネシウム合金を用いこともできる。マグネシウム合金は、吸振特性が高いという特徴がある金属材料である。また、放熱特性やシールド特性は良好である。また、比重が軽いことから軽量化も実現できる。さらに、スタンド支柱部４２を用いて防音対策を行うことができるので、従来よりも、遮音板を小型化にできたり、また、バックキャビネット２０の排気口を大きくすることができる。つまり、液晶テレビ１０本体の設計の自由度を大幅に向上させることができる。
【００１８】
＜第２の実施形態＞
図２に本実施形態に係る液晶テレビ１１０とテレビ台１９０とを示しており、第１の実施形態をベースにした変形例である。ここでは、バックキャビネット２０は外した状態を示しており、特に図２（ａ）は液晶テレビ１１０をテレビ台１９０から離した状態を、図２（ｂ）は液晶テレビ１１０をテレビ台１９０に設置した状態を示している。
【００１９】
本実施形態で特徴的な構造は、テレビスタンド１４０において、スタンド支柱部１４２の上面から及びスタンド脚部１４４の裏面までを連通する連通孔１４６が設けられている。さらに、テレビ台１９０の金属シャーシ部１９２の天板部分の液晶テレビ１０が設置される領域、例えば、左右方向の中心に、開口１９４が設けられ、さらにその内部には送風室１９３が形成されている。また、送風室１９３には、ファン１９６が取り付けられている。そして、液晶テレビ１１０がテレビ台１９０に設置されたときに、テレビ台１９０の開口１９４と、液晶テレビ１１０のテレビスタンド１４０の連通孔１４６の開口部分が一致する。このとき、必要に応じて、ファン１９６を動作させることで、連通孔１４６を通じて液晶テレビ１０の内部、つまり、バックライトシャーシ３０に送風することができ、一層の効果的な冷却を行える。ファン１９６の動作は、例えば、ユーザが手動で行ってもよい。また、テレビ台１９０が、例えば、シアターラックを兼ねている場合、液晶テレビ１１０とテレビ台９０がＨＤＭＩ接続され、相互に制御可能になっていることがある。その場合、液晶テレビ１１０は、温度検知結果を基に、テレビ台９０に対しファン１９６の駆動制御を行ってもよい。
【００２０】
＜第３の実施形態＞
図３は、本実施形態に係る液晶テレビ２１０とテレビ台２９０を示した図である。この液晶テレビ２１０は、第１の実施形態をベースにした変形例であって、テレビスタンド２４０のスタンド脚部２４４の裏面を凹凸の係合形状としている。さらに、テレビ台２９０にも同様の係合形状を設けている。
【００２１】
具体的には、テレビ台２９０の金属シャーシ部２９２の天板部分には、凹形状の配置部２９３が形成されている。さらに、その配置部２９３にはめ込んで配置されるテレビ台側係合部２５０が備わる。テレビ台側係合部２５０の上面は、断面が鋸形状となる溝が形成されている。一方、テレビスタンド２４０は、バックライトシャーシ３０に固定されるスタンド支柱部２４２と、テレビ台９０に設置される部分のスタンド脚部２４４とを備える。そして、スタンド脚部２４４の裏面は底面係合部２４８となっており、テレビ台側係合部２５０と係合する形状、つまり、断面が鋸形状の溝が形成されている。
【００２２】
液晶テレビ２１０がテレビ台２９０に設置されるときに、スタンド脚部２４４の底面係合部２４８が、テレビ台側係合部２５０と係合する。これによって、接触部分の表面積が増え、伝熱効率を向上させることができる。さらに、地震等の揺れに対して強くなる。また、テレビ台側係合部２５０を液晶テレビ１０の仕様に応じて用意することで、汎用性を向上させることができる。なお、本実施形態に、第２の実施形態の連通孔１４６及び送風室１９３、ファン１９６の構成を追加してもよい。
【００２３】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００２４】
図４に変形例を示す。図４（ａ）では、液晶テレビ３１０について、バックキャビネットを取り除いて、バックライトシャーシ３０とスタンド支柱部３４２とを示している。この液晶テレビ３１０は、図１に示した液晶テレビ１０の変形例であって、異なる点は、スタンド支柱部３４２の内部が中空になっているとともに、スタンド支柱部３４２の上頂部を開口としている点にある。このような構成にすることで、バックライトシャーシ３０に伝導した蛍光ランプ（バックライト）などの熱は、バックライトシャーシ３０と密着している中空構造のスタンド支柱部３４２に熱伝導する。そして、この際、スタンド支柱部３４２の中空部分の空気は暖められ、上方向の気流が発生する。すなわち、スタンド支柱部３４２を中空にし、また上部を密閉しないことにより、より良好に熱を放出できる。なお、図４（ｂ）のように、スタンド支柱部３４２が、バックライトシャーシ３０の上部まで延びる形状となってもよい。その場合、バックライトシャーシ３０との密着領域が増えることから、バックライトシャーシ３０からの熱伝導量が増加する。すなわち、放熱能力を高めることができる。
【００２５】
また、図５に別の変形例に係る液晶テレビ４１０を示す。この液晶テレビ４１０は、図４（ｂ）の構成態様の変形例である。この液晶テレビ４１０は、図４（ｂ）のスタンド支柱部３４２と同様の構造のスタンド支柱部４４２をバックライトシャーシ３０の両側面近傍に２つ配置している。このように、複数配置することで、放熱能力を一層高めることができる。
【符号の説明】
【００２６】
１０、１１０、２１０、３１０、４１０  液晶テレビ
２０  バックキャビネット
３０  バックライトシャーシ
４０、１４０、２４０  テレビスタンド
４２、１４２、２４２、３４２、４４２  スタンド支柱部
４４、１４４、２４４  スタンド脚部
９０、１９０、２９０  テレビ台
１９２、２９２  金属シャーシ部
２４８  底面係合部
２５０  テレビ台側係合部
【図１】
2012009918.tif 000003
【図２】
2012009918.tif 000004
【図３】
2012009918.tif 000005
【図４】
2012009918.tif 000006
【図５】
2012009918.tif 000007